(57)【要約】      （修正有）【課題】台座付き除湿器の提供。【解決手段】除湿器１、台座を具え、そのうち、除湿器は通気性を有する多孔性セラミックを本体ケースとし、その内部が収容室とされ、収容室中に吸湿材３が充填され、本体の底面に穿孔が設けられ、プラグ２がそれを封じ、該ケースの外面の局部に湿度感応材料が塗布されて、除湿器の吸湿状況が表示され、該台座は除湿器を支持し、そのうち台座は挟持状構造とされ、左右の挟持板で構成され、二つの挟持板が形成する挟持口が除湿器の受け部とされ、挟持板に透視窓が設けられ、透視窓内に湿度感応材が設けられ、除湿器の吸湿状況を表示する。【選択図】図３
0003111580.tif 000002
【実用新案登録請求の範囲】
【請求項１】
通気性を具えた多孔性セラミックで形成された本体ケースを具え、該本体ケースの内部が収容室とされ、該収容室内に除湿材が充填され、本体ケースの底面に穿孔が設けられ、該穿孔がプラグで封じられた除湿器と、
上面が除湿器を支持する受け部とされ、下面が放置用の底面とされ、除湿器を安定して支持する台座と、
を具えたことを特徴とする、台座付き除湿器。
【請求項２】
請求項１記載の台座付き除湿器において、除湿器の本体ケースの外面の局部に湿度に感応する表示材が塗布されて除湿器の吸湿状況を表示することを特徴とする、台座付き除湿器。
【請求項３】
請求項１記載の台座付き除湿器において、除湿器の本体ケースが円形或いは方形或いはその他の幾何形状のブロック状体とされたことを特徴とする、台座付き除湿器。
【請求項４】
請求項１記載の台座付き除湿器において、台座が挟持状構造とされて左右の挟持板を具え、左右の挟持板が形成する挟持口が除湿器の受け部とされたことを特徴とする、台座付き除湿器。
【請求項５】
請求項４記載の台座付き除湿器において、台座の挟持板に貫通孔が設けられ、該貫通孔に透視窓が嵌め込まれ、透視窓の内側に湿度に感応する表示材が設けられて除湿器の吸湿状況を表示することを特徴とする、台座付き除湿器。
【請求項６】
請求項４記載の台座付き除湿器において、台座の挟持板が透明材料で形成されて挟持板の内側に湿度に感応する表示材が設けられたことを特徴とする、台座付き除湿器。
【考案の詳細な説明】
【技術分野】
【０００１】
本考案は重複使用可能な除湿用品に係り、特に通気性を具えた多孔性セラミックを材料として除湿器本体ケースが形成され、その内部の吸湿材が本体ケースを通してその周辺の空気の湿気を吸収でき、台座が除湿器を支持し、台座が挟持状構造とされ、その左右の挟持板が除湿器の本体ケースに当接し、台座上に湿度感応材が設けられて、除湿器の吸湿状況を表示できる、台座付き除湿器に関する。
【背景技術】
【０００２】
保存に除湿用品の使用を必要とする物品は多く、市販されている周知の除湿用品には使用後に廃棄される除湿箱及び電動除湿機、及び電力で加熱還元できる電子除湿器がある。
【０００３】
除湿箱１（図１）と除湿器２（図２）はプラスチックケース１０ａ、２０ａ内に除湿顆粒（即ち吸湿材）が収容され、プラスチックケースに複数の穿孔１１ａ、２１ａが設けられ、穿孔エリアの内壁に通気性布（例えば不織布）が貼り付けられて、防湿顆粒粉末化時の脱出を防止している。そのうち、除湿箱は一度使用するだけで廃棄され、環境保護に対して不利な製品である。除湿器は内部に電子加熱装置を取り付けて既に水分を吸収飽和した除湿顆粒を還元する必要がある。除湿機は別タイプの除湿設備でクーラーに類似し、その製造コストは最も高い。
【０００４】
周知の除湿用品のケースはいずれもプラスチック等非通気性材料で形成され、このため多くの貫通孔を設けて内部と外部を流通させる必要があり、また顆粒が細かい吸湿材の脱出を防止するため、貫通孔部分に通気布を貼り付ける必要があり、組立が相当に面倒で、プラスチック材料の製品は表面処理（ベーク或いは電気めっき）を行なわねば装飾品には不適合である。
【考案の開示】
【考案が解決しようとする課題】
【０００５】
本考案は一種の台座付き除湿器を提供することを目的とし、それは通気可能な多孔性セラミックで本体ケースが形成され、その内部が収容室とされて吸湿材が充填され、本体の底面に穿孔が設けられ、穿孔がプラグで封じられ、セラミックは耐熱性が極めて良好な素材であり、これにより除湿器がオーブン或いは釜でベークされることで、内部の吸湿材が還元され、重複使用可能である。該除湿器は円形或いは方形或いはその他の幾何形状のブロック状体とされうる。
【０００６】
本考案によると、除湿器に合わせて台座が設けられ、その上面は除湿器を支持し、下面は放置用の底面とされ、除湿器を安定して支持する。該台座は挟持状構造とされ、除湿器を挟持する。台座の挟持板には透視窓が設けられ、透視窓の内側に湿度感応材が設けられ、除湿器の含有する水分の変化により色を変えてその吸湿状況を表示する。
【課題を解決するための手段】
【０００７】
請求項１の考案は、通気性を具えた多孔性セラミックで形成された本体ケースを具え、該本体ケースの内部が収容室とされ、該収容室内に除湿材が充填され、本体ケースの底面に穿孔が設けられ、該穿孔がプラグで封じられた除湿器と、
上面が除湿器を支持する受け部とされ、下面が放置用の底面とされ、除湿器を安定して支持する台座と、
を具えたことを特徴とする、台座付き除湿器としている。
請求項２の考案は、請求項１記載の台座付き除湿器において、除湿器の本体ケースの外面の局部に湿度に感応する表示材が塗布されて除湿器の吸湿状況を表示することを特徴とする、台座付き除湿器としている。
請求項３の考案は、請求項１記載の台座付き除湿器において、除湿器の本体ケースが円形或いは方形或いはその他の幾何形状のブロック状体とされたことを特徴とする、台座付き除湿器としている。
請求項４の考案は、請求項１記載の台座付き除湿器において、台座が挟持状構造とされて左右の挟持板を具え、左右の挟持板が形成する挟持口が除湿器の受け部とされたことを特徴とする、台座付き除湿器としている。
請求項５の考案は、請求項４記載の台座付き除湿器において、台座の挟持板に貫通孔が設けられ、該貫通孔に透視窓が嵌め込まれ、透視窓の内側に湿度に感応する表示材が設けられて除湿器の吸湿状況を表示することを特徴とする、台座付き除湿器としている。
請求項６の考案は、請求項４記載の台座付き除湿器において、台座の挟持板が透明材料で形成されて挟持板の内側に湿度に感応する表示材が設けられたことを特徴とする、台座付き除湿器としている。
【考案の効果】
【０００８】
本考案の台座付き除湿器は、重複使用可能な除湿用品を提供し、特に通気可能な多孔性セラミックを材料として除湿器の本体ケースを形成し、その内部の吸湿材が直接本体ケースを通して周辺の空気中の湿気を吸収できるものとされ、内部の通気布の貼り付けが不要であり、並びにベークして還元再使用でき、且つ装飾に適し、その構造及び使用機能はいずれも従来の技術にはないものであり、新規性と実用性を有している。
【考案を実施するための最良の形態】
【０００９】
図３は本考案の除湿器の構造断面図である。除湿器１は本体ケースを具え、本体ケースの肉厚中に内外に貫通する細孔が設けられ、本体ケースの底部に穿孔が設けられ、該穿孔がプラグ２で封じられている。本体ケースとプラグ２が構成する密閉された収容室中に除湿材３（除湿顆粒）が充填される。上述の本体ケースはいわゆる多孔性セラミックで形成され、その特性は、通気性と含水能力を具備することであり、これにより除湿材３が本体ケースを通して周辺の空気中の水分を吸収し、且つ該除湿材３は加熱されると通気性の本体ケースにより水分を排出する。
【００１０】
図４は本考案の除湿器１の外表面の局部に塗布される表示材１５を示す。この表示材１５は湿度状況の変化に応じて色を改変し、使用者が除湿器１の吸湿状況を了解するのを助ける。
【００１１】
図５は本考案の台座付き除湿器の構造図である。該除湿器１には台座４が組み合わされ、台座４の上方に支持部４１が設けられ、該台座４の下面は放置用の底面４２とされる。
【００１２】
図６は本考案の台座の構造の別の実施例表示図である。台座５は挟持状構造に形成され、右挟持板５１、左挟持板５２を具え、二つの挟持板が除湿器を掌で囲むように挟持し、その上方の挟持口は除湿器１の外表形状に合わされ、除湿器１の受け部５３が形成される。台座の挟持板は透明材料で形成されるのがよく、挟持板の内側に湿度挟持材５４、５５が嵌め込まれるか、或いは表示材が挟持板の内側に塗布、印刷等の方式で設置され、除湿器１の吸湿状況に反応するものとされる。
【００１３】
図７には本考案の台座のまた別の実施例が示される。台座６は挟持状構造とされ、その右挟持板６１、左挟持板６２は非透明材料で形成され、二つの挟持板の上半部に除湿器１の受け部６３が設けられ、受け部６３の左右両辺に透視窓６４、６５が設けられ、該透視窓６４、６５の内側に湿度表示材６６が嵌め込まれるか、或いはウインドウ内に塗布或いは印刷等の方式で湿度表示材が設置される。
【図面の簡単な説明】
【００１４】
【図１】周知の除湿箱の立体図である。
【図２】周知の除湿器の立体図である。
【図３】本考案の除湿器の構造断面図である。
【図４】本考案の除湿器の表示材設置例図である。
【図５】本考案の台座と除湿器の設置例図である。
【図６】本考案の台座の別の構造例図である。
【図７】本考案の台座の更に別の構造例図である。
【符号の説明】
【００１５】
１  除湿箱                １０ａ  プラスチックケース
１１ａ  穿孔              ２ａ  除湿器
２０ａ  プラスチックケース  ２１ａ  穿孔
１  除湿器                ２  プラグ
３  除湿材                ４  台座
５  台座                  ６  台座
１５  表示材              ４１  受け部
４２  底面                ５１  右挟持板
５２  左挟持板            ５３  受け部
５４  表示材              ５５  表示材
６１  右挟持板            ６２  左挟持板
６３  受け部              ６４  ウインドウ
６５  ウインドウ          ６６  表示材
６７  表示材
【図１】
0003111580.tif 000003
【図２】
0003111580.tif 000004
【図３】
0003111580.tif 000005
【図４】
0003111580.tif 000006
【図５】
0003111580.tif 000007
【図６】
0003111580.tif 000008
【図７】
0003111580.tif 000009